(57)【要約】印刷媒体によるメッセージの表示を日中に提供し、ＬＥＤを用いたＬＥＤメッセージを夜間に提供するディスプレイである。ディスプレイは、ＬＥＤメッセージを遠隔から監視し変更するため、再構成されることができる。
2004538495.tif 000002
【特許請求の範囲】
【請求項１】
周囲光がディスプレイを照明するのに充分である条件で可視である第１のメッセージと、周囲光が不充分なときに、又は上記第１のメッセージを強調するために第２のメッセージとを表示するディスプレイボードであって、
上記第１のメッセージを表示する外面を有する資材層を支持する基盤を画成するパネルと、
上記基盤に設置され、該外面で露出されている該資材層に貫通し、導通時に光を放出するように適合された、複数の発光ダイオードクラスターと、
各クラスターを導通する導通手段と、
該第２のメッセージを作成するクラスターの強調を制御する制御手段とを含む、ディスプレイボード。
【請求項２】
各資材層は、各クラスターを受け入れるための開口部を含む、請求項１記載のディスプレイボード。
【請求項３】
各クラスターは、赤、緑、及び青の発光ダイオードを含み、該導通手段は、該クラスターによって映写されるべき所望の色を生成するため、各ダイオードを選択的に導通する手段を含む、請求項１記載のディスプレイボード。
【請求項４】
該制御手段は、プログラムされたパターンに対応して該クラスターを導通するコンピュータプロセッサを含む、請求項１記載のディスプレイボード。
【請求項５】
該パターンを遠隔的に変更する遠隔変更手段を更に含む、請求項４記載のディスプレイボード。
【請求項６】
該遠隔変更手段は、該プロセッサと遠隔ホストコンピュータとの間のデータリンクを含む、請求項５記載のディスプレイボード。
【請求項７】
観測者をして見られる位置にあり第１の画像が観測者に見られるように接着される外面、及び内面を備えたサイン面と、
該サイン面内に形成され、該外面を通って伸張する複数の間隔がおかれた孔によって形成された孔のマトリックスと、
該内面に近接して配置され、複数の発光ダイオードを搭載し該発光ダイオードのそれぞれに電力を搬送するように構成されたＬＥＤ回路基板と、
該ＬＥＤ回路基板に搭載された複数の発光ダイオードから構成され、それぞれ該ＬＥＤ回路基板に設置され、観測者によって見られるように、光を、該孔のマトリックスに、及びそれらを通して、搬送するＬＥＤアレイと、
外部ソースから電力を受け、該ＬＥＤ回路基板に電力を供給するため接続された電源手段と、
該ＬＥＤ回路基板に接続され、該ＬＥＤアレイの選択された発光ダイオードを活性化し、外部の周囲光が閾値より下方であるとき該第１の画像の観測を抑制するため選択されたルミネッセンスで観測者に可視である第２の画像を与える、制御手段とを含む、サインシステム。
【請求項８】
周囲光がディスプレイを照明するのに充分である条件で可視である第１のメッセージと、周囲光が不充分なときに、又は上記第１のメッセージを強調するために第２のメッセージとを表示するディスプレイボードであって、
上記第１のメッセージを表示する外面を有する資材層を支持する基盤を画成するパネルと、
上記基盤に設置され、該外面で露出されている該資材層に貫通し、導通時に光を放出するように適合された、該基盤に対して角度を付けられた複数の発光ダイオードクラスターと、
各クラスターを導通する導通手段と、
該第２のメッセージを作成するクラスターの強調を制御する制御手段とを含む、ディスプレイボード。
【請求項９】
該クラスターのそれぞれは、光遮へい用フードを更に含む、請求項８記載のディスプレイボード。
【発明の詳細な説明】
【０００１】
［発明の属する技術分野］
本発明は、発光ダイオードディスプレイボード及び掲示板に関する。
【０００２】
［従来の技術］
掲示板サイン及びその類は公知である。例えば、掲示板に対して、標準的な１４フィート×４８フィートの表面が存在し、印刷広告媒体を受信しているが、１０×２０、１２×１６、１８×２４、及び４０×６０のボードも同様に使用されている。この媒体は、過去においては、紙材に印刷され、適切な接着剤によって接着されていた。このメッセージを変更するため、古い印刷された紙材のメッセージパネルは、取り外され、新たなプレゼンテーションが表面に接着される。新たなプレゼンテーションが、過去／現在においても古いメッセージの上から直接的に接着されることも時々ある。
【０００３】
現代では、メッセージは、依然として紙に、又は構成ユニットに分離して組み立てられてよく、掲示板面に現場で固定されるか、接着されるポリマー製の基盤に、印刷されている。
【０００４】
掲示板会社は、一般的には一月ごとの料金に基づいて広告主によって印刷された媒体の表示から収入を得ている。
【０００５】
看板業界おいて、発光ダイオード（ＬＥＤ）ディスプレイを設置することも知られている。これらのディスプレイは、高価であるが、動画及び映像表示を提供するように動作することができる。ディスプレイに対する各画素は、若しくはピクセルは、レンズを使用して若しくは使用せずクラスターを画成する複数のＬＥＤｓを含み、クラスターの各ダイオードが選択的に導通され対照をなすとき、所望のピクセルカラーを生成する。ディスプレイクラスターマトリックスにおけるピクセルカラーのバターン及び組合せは、所望の画像を生成する。ほとんどの場合、最低限の３つの赤、緑、及び青のダイオードが使用される。これらのディスプレイは、しばしば室外環境で使用されるので、自然の周囲光が強いような白昼の間に観測者により観察されるべき所望の効果を提供するため、ピクセルは、密に間隔を置かれ、より多くのダイオードが、各ピクセルにおいて、周囲光に打ち勝つのに要する明るさ及びコントラストを提供するため、使用されなければならない。密な間隔によって、相当に連続的な画像が提供される。更に、密な間隔及び複数のダイオードによって、クラスターが自然光若しくは周囲光に打ち勝つのに必要な明るさを発生するために協働することが可能となり、画像が白昼の間であってもはっきりと見られるようになる。密に詰まったクラスター（すなわち、ピクセル）の前記要求、及び各ピクセルに対する複数の色のダイオードは、必要なハードウェア、配線、及びソフトウェア、並びに冷却要求と同様に、室外ＬＥＤディスプレイの高いコストに貢献してしまう。
【０００６】
ＬＥＤディスプレイによって提供される利点は、メッセージを変化でき、及び／又はメッセージを接続されたコンピュータ制御を通して動画化できることである。従って、広告に対する収入は、複数の広告メッセージを提供することによって増加させることができる。例えばラスベガスでは、大きなホテル及びカジノリゾートは、アトラクション、ルームサービス、レストラン情報、及び娯楽のようなリゾート地を売り込むメッセージを提供するため、ＬＥＤサインを使用し、収入を得るため他人の広告を掲示することもでき、サインの取得及び操作にかかるコスト負担の補助とすることができる。
【０００７】
ピクセルの間隔を増加し、或いはクラスターから除去されたカラーＬＥＤｓを２倍にすることができるが、特に白昼中の室外サインのような強い周囲光の条件下のメッセージを見るための能力及び鮮明度は、悪化し、その画像は、望ましくないものとなるだろう。
【０００８】
ピクセルをより大きな距離の間隔をおいて、又はサインの選択された部分において配置することにより、より少ない費用でＬＥＤサインの効果を提供するサインに対する必要性があるが、その犠牲として、ＬＥＤｓは、間隔若しくはクラスターダイオード数を考慮すると、メッセージを容易に見ることができなないであろう周囲光での作動時間中には、用いられることがなく主要なメッセージを表示することが全くないであろう。メッセージがＬＥＤｓによって伝達されていないかかる時間中に、メッセージを伝達する能力を依然として有しており、ＬＥＤｓがメッセージを強調することができる、サインを提供することは、効果的であろう。
【０００９】
［発明の概要］
従って、本発明によって、先行技術のＬＥＤサインに関連する問題点を克服するディスプレイが説明され、ディスプレイは、複数のメッセージを表示することを提供し、ディスプレイの動作の遠隔制御、操作、及び確認を提供するコストが低減されたサインを提供する。
【００１０】
ディスプレイの最終には、周囲光がディスプレイを照明する条件において可視の第１のメッセージと、周囲光が、第１のメッセージを伝達する印刷広告媒体を脱着可能に支持する基盤を画成するパネルを含むディスプレイを表示するのに不充分であるとき、第２のメッセージとを表示するボードが説明される。これらの媒体は、広告のようなメッセージが印刷される紙、繊維、ポリマー、若しくはビニールのシートである。複数の発光ダイオード（ＬＥＤ）クラスターは、基盤に設置され、導通されたとき光を放出するように適合される。各クラスターは、外面に露出された印刷広告用の層に貫通する。この目的のため、パネルは、開口部を有してよく、開口部は、外面に露出される各開口部を通ってクラスターを位置決めするためのパターンで作成される。各クラスターを導通する手段が設けられ、同様に、クラスターの導通を制御する手段が、追加の若しくは第２のメッセージを作成するために設けられる。ＬＥＤｓに対する孔は、印刷、昼光、画像を妨害しない。
【００１１】
可視のメッセージを生成するためＬＥＤｓが動作するには不適切と思われる周囲光の条件においては、印刷メッセージ媒体が、通行人にメッセージを伝達する。必要により、ＬＥＤマトリックスが設置され動作することができ、主要な印刷メッセージ若しくはそれに含まれる背景に“きらめき”、背景、若しくは他の強調を与えること等によって、印刷画像を強調する。
【００１２】
周囲光が許容するとき、例えば夕暮れから夜明け時、ＬＥＤｓが第２の追加の画像を生成するため導通される。ＬＥＤｓ及びそれらのアレイは、かかる弱い周囲光の条件においては強い周囲光に打ち勝つ必要がないので、クラスターは、より大きな間隔をおいて適切に配置され、白昼に動作可能なＬＥＤサインにおいて必要であろう数より少ないカラーＬＥＤｓを含むことにより、ＬＥＤメッセージの効果を最大化しサインのコストを減少する。
【００１３】
ＬＥＤｓの動作を制御するため、制御手段は、好ましくは、プロセッサ制御器を含む。制御器は、サインの現場で、或いは、電話線、専用電気通信線、衛星ネットワーク、ケーブル、若しくは他の通信リンクを通して遠隔的に制御され、プログラミングされてよい。
【００１４】
他の局面において、ＬＥＤｓは、ディスプレイ面を搭載するための支持部を提供するクラスターに搭載され、クラスターは、ＬＥＤｓの効果を増加するため回転角を有し、遮へいされている。
【００１５】
本発明の特徴は、純粋なＬＥＤディスプレイボードよりも安価なＬＥＤｓを有するディスプレイを作成することである。
【００１６】
その他の特徴は、強い周囲光の条件において印刷媒体によって画成される第１のメッセージと、弱い周囲光の条件においてＬＥＤが作成した第２のメッセージとを与えるディスプレイを提供することである。
【００１７】
その他の目的は、白昼時にＬＥＤによる強調を印刷シグナルに提供することである。
【００１８】
更にその他の特徴は、ＬＥＤによる第２のメッセージが遠隔的に再構築され監視されることができるディスプレイを提供することである。
【００１９】
［発明の説明］
図１Ａ―Ｃを参照するに、本発明によるディスプレイ１０が、室外掲示板用ディスプレイとして具現化されて示される。次の説明は、室外掲示板に対して向けられるが、ディスプレイ１０は、強い周囲光及び弱い周囲光の条件下のどのような環境に対しても動作するディスプレイ若しくはサインであることができることを理解すべきである。強い周囲光によって意味するところは、以下に述べるようなディスプレイ１０の構成、及びＬＥＤクラスターの配置を仮定して、ＬＥＤが表示したメッセージのコントラストを低下し、不明瞭にする傾向があるだろう、白昼の日光若しくは他の人工的光である。弱い周囲光によって、ディスプレイ１０の構成、及び以下に述べるようなＬＥＤマトリックスを仮定して、ＬＥＤが作成したメッセージは見られることできるような環境を意味する。
【００２０】
ディスプレイ１０は、略閉じた、平らな、側部１４、上部１６、底部、後部、及び前部を有する長方形のボックス構造として作成されてよい。ディスプレイ１０は、室外サインとして動作するように適合されたとき、フレーム部１２は、地面から上方でピラー部２０上に支持される。或いは、ディスプレイ１０は、壁に若しくは適当な構造に掛けられてよい。
【００２１】
ディスプレイ１０の前部１８の外部光を提供するため、本業界において知られておりアーム部に配設された複数の電灯２２が設置される。
【００２２】
図１Ａ―Ｃを更に参照するに、ディスプレイ１０は、強い周囲光の条件下で、虹のパターン２７を備えた印刷メッセージ“ＶＤＣ Ｖｉｄｅｏ Ｄｉｓｐｌａｙ Ｃｏｎｓｕｌｔａｎｔｓ”として示された印刷媒体の広告２６を表示し支持するように適合される。この印刷広告は、本業界において知られているように、紙材、ビニール、プラスティック、若しくは必要によりアプリケーションに適した他の材料に印刷されてよい。また、知られているように、広告２６は、古い広告を取り除き新たな広告２６を掲示することによって、或いは古い広告の上から新たな広告２６を貼り付けることによって、折々変更されてよい。広告２６は、ある一定の場合、前部１８に現場において組み立てられる吊り下げ壁紙と同質の紙片に印刷されてよい。
【００２３】
ディスプレイ１０の前部１８は、１４フィート×４８フィートであってよく、或いはフレーム部１２に固定される複数のパネル２８（図２、図５Ａ、及び図５Ｂ）として具現化されてよいディスプレイ１０の長さ及び幅を超えて連続してよい。しかし例のように、各パネル２８は、一般的な広告印刷媒体の紙片の幅に対応しているだろう。図５Ａに示すように、広告２６は、各パネル２８に固定される紙片２６ａに印刷されてよい。
【００２４】
公知のように、印刷広告２６は、日の出から日没までのような、強い若しくは相対的に強い周囲光の条件の間、見られることができる。しかし、夕方では、充分な周囲光が不足して、見られることができない。かかる時間、必要により、光２２は、印刷広告２６を照明するため動作されてよい。
【００２５】
本発明によると、異なる形式のメッセージを提供するため、若しくは印刷広告２６を強調するため、各パネル２８は、発光ダイオード（ＬＥＤ）クラスター３２のマトリックス３０若しくはアレイを含み、そのクラスター３２の幾つかは、図１Ａ及び図２、図３、及び図５Ｂにおいて、分離されて示され、拡大されて示されている。幾つかのクラスター３２だけが示されているが、マトリックスは、クラスター３２の行及び列を含むだろうことは理解されるべきである。次の説明は、各パネル２８に対するクラスター３２の連続的なマトリックス３０配置に、それ故ディスプレイ１０の前部１８を横断する配置に向けられるが、一若しくはそれ以上のパネル２８の部分のみが、以下に明らかになるであろう目的のためのクラスター３２を含んでよいことは理解されるべきである。
【００２６】
図５Ｂでは、各クラスター３２は、密な配置で設置された、赤色の光を放出するＬＥＤ３４、緑色の光を放出するＬＥＤ３６、及び青色の光を放出するＬＥＤ３８を含む。知られているように、ＬＥＤｓ３４−３８が導通されたとき、それぞれは、それらに供給された電力によって要求された強さでそれぞれの色の光を放出する。電力を変化させることによって、各色は、ここで参照によりその開示内容を結合させるＫａｓｈｉｗａｂａｒａ他による米国特許第５，１６４，７１５号において説明され、知られているように、対照をなしてよい。ＬＥＤｓ３４−３８は、円柱、球、角錐、三角形、若しくは他の所望の形状であってよい透明レンズ４０であって、アプリケーションに適した透明なプラスティック材料から作成されたカバーシート５２（図２）に組み込まれてよい保護用の透明レンズ４０の裏に、クラスター化される。ディスプレイ１０が室外用である場合、カバー５２は、室外での使用に適しており、天候及びＵＶ光に耐えることができるだろう。
【００２７】
図３、及び図６に示されたような各クラスター３２は、取付ボード５３に固定され、ＬＥＤマトリックス３０を画成する。マトリックス３０におけるクラスター３２の間隔は、厳格なＬＥＤディスプレイサインに対して必要であろう間隔に比べて大きく、以下に述べるようにＬＥＤ駆動ディスプレイが、白昼の周囲光条件に打ち勝つ完全な画像を形成する必要がない。しかし例のように、ＬＥＤクラスター３２は、掲示板アプリケーションに対して、マトリックス３０において１．５×２５．４ｍｍから６×２５．４ｍｍの範囲内の間隔で配置される。
【００２８】
図２、図３、図５Ｂ、及び図６を参照するに、各パネル２８は、ディスプレイ１０のフレーム部１２にパネル２８を固定するための取付部４２を含む。取付部４２は、パネル２８に剛性を付与する基盤であって、ディスプレイ１０に対する裏部を画成してもよい基盤４４に、結合される。基盤４４は、赤、緑、及び青のＬＥＤｓ３４、３６、及び３８のそれぞれを駆動し制御する駆動部５８を含む一若しくはそれ以上のＬＥＤ駆動モジュール１００を支持する。駆動部５８は、各ＬＥＤクラスター３２に、ＬＥＤｓ３４、３６、及び３８の制御のため、電気的に結合される。電源１０２は、駆動部５８及びクラスター３２に作動のための電力を供給する。
【００２９】
前部を画成するのは、ディスプレイに対する孔が明けられた面１０４である。孔若しくは開口部５６は、カバー５２のレンズを受け入れるため間隔をおいて配置される。適当な開口部５６により、レンズ４０及びクラスター３２の全ては、レンズ４０が開口部５６を貫通し、クラスター３２がレンズ４０の裏に配設されるように、設置される。広告２６の層は、面１０４上に接着される。或いは、印刷広告２６は、面１０４に接着される剛体若しくは半剛体のキャリアシートに固定されてよい。
【００３０】
図２乃至図４には、ディスプレイ１０の制御システムが示される。ＬＥＤｓ３４−３８は、駆動部５８によって駆動され、電力供給され、駆動部５８は、フレーム部１２内部に設置された局所制御器６０によって制御される。電力は、電源１０２から局所制御器に供給され、電源１０２は、局所電源配電パネル１０６から電力供給される。従って、駆動部及び局所制御器の制御の下、各駆動部５８は、制御器６０によって制御された量と時間で作動されて、クラスター３２に対して、所望の色を作成するため、それぞれが所望のコントラストでそれぞれの色を放出するように引き起こす。
【００３１】
所望の色で所望の画像若しくはメッセージを生成するディスプレイ１０のパネル２８のマトリックス３０のクラスター３２を制御するため、局所制御器６０は、電力量に対するコントラスト、各クラスター３２に対するレジスター位置、及びその類のようなクラスター３２及びシステムの動作に対する固定パラメーター、を記憶する第１のメモリ若しくはデータ構造６２を含む。システムは、所望の色画像若しくはメッセージを生成するためクラスター３２を制御するデータを記憶するように適合された第２のデータ構造６４、若しくは再書込み可能なメモリを更に含む。しかし、例のように、及び図１を参照してわかるように、第２のデータ構造６４は、昼光（強い周囲光条件）、メッセージ強調、広告２６上の“ＶＤＣ”のロゴから右側に虹２７を横断して流れる色つきのビームによる背景（ＬＥＤメッセージ６６）を生成するためマトリックス３０内のクラスター３２を導通するためのデータを記憶してよい。図１Ｃでは、弱い周囲光条件である夕方では、クラスター３２は、静的な、色のある、乗り物のＬＥＤメッセージ６６、乗り物の映像若しくは他の動画広告のような印刷広告２６とは異なる画像を生成するため導通される。従って、第２のデータ構造６４がアクセスされ、クラスター３２が電源供給され、制御されるとき、制御器５０は、適当なクラスター３２の対応するＬＥＤ３４−３８を導通し、ＬＥＤメッセージ６６を生成する。弱い周囲光条件中である限り、例えば夜間、クラスター３２からの光は、印刷広告２６のコントラストを低下させ、メッセージ６６が見えるようにする。
【００３２】
制御器６０は、夕方のＬＥＤメッセージ６６に交代すべく、必要により印刷広告２６を照明するため、外部のサイン照明２２の光を制御してもよい。
【００３３】
フォットセンサー６８が、周囲光のレベルに関する局所制御器６０に入力するため、設置されてよい。周囲光が選択された閾値を越える白昼の間には、局所制御器６０は、ＬＥＤメッセージ６６が容易に見られることができないだろうことを認識して、ＬＥＤ３４−３８を導通させない。フォットセンサーが周囲光が閾値より下方にあると決定するとき、ＬＥＤメッセージ６６が表示される。或いは、強い周囲光の条件中に、印刷広告２６を強調するようなプログラムだけがアクセスされ、始動されてよい。
【００３４】
第２のデータ構造６４が再書込み可能であるので、ＬＥＤメッセージ６６は、必要により変更されることができる。例えば、“乗り物”メッセージは、４回連続して夕方に流れて、その後その他のメッセージによって、取って代わられてよい。第２のデータ構造６４を変更し、必要により局所制御器６０を再度プログラミングするため、インターフェース７０がある。モデムとして具現化されてよいインターフェース７０は、オペレータがシステムを再構築し、第１若しくは第２のデータ構造を再書込みするため、局所制御器６０及びデータ構造６２，６４にアクセスするために設置される。インターフェース７０は、ラップトップコンピュータのようなインターフェースデバイスを使用するオペレータが、システムに、システムの再構築のためアクセスすることができる手段である、ディスプレイ１０の後部でのケーブル接続のようなハード資源接続７２、によってアクセスされてよい。更に若しくは或いは、ディスプレイ１０は、電話線、ケーブル、インターネット接続、構内若しくは広域専用ネットワーク、又はその類にような電気通信線７４を通してアクセスされてよい。従って、遠隔からも、システムは、ＬＥＤメッセージ６６を変更するため、再構築されることができる。更に若しくは或いは、システムは、オペレータがディスプレイ１０に携帯デバイスを向けることによる携帯デバイスを使用した赤外線接続７６によって再構築されてよい。符号７９では、ディスプレイ１０を再構築するための衛星若しくはその類を経由してなされうる遠隔接続が示される。
【００３５】
図３及び図４に示すように、局所制御器６０は、ホスト制御器８０によって、上で明らかにされた手段のいずれか、幾つか若しくは全てを経由してアクセスされ、プログラミングされてよい。ホスト制御器８０は、遠隔にあるパーソナルコンピュータであってよいが、局所制御器６０に、ＬＥＤメッセージ６６を制御する種々の媒体フォーマットをフォーマット化し、ダウンロードするように適合されている。示されたように、ディスプレイ１０は、印刷広告２６を強調するためだけでなく、例えば、移動する背景を多分に有する“ＤＲＩＮＫ ＣＯＬＡ”や、衛星、ケーブル、若しくはスポーツイベント等のライブ映像のブロードキャストソースから、或いはビデオに記憶されホスト制御器８０内に走査されたメッセージからのライブ映像供給や、インターネットからの、或いはメモリ、デジタルビデオディスク若しくはフロッピーディスクに記憶されたテレビジョン供給のような固定の若しくは静的な広告を、弱い周囲光条件中に作成するディスプレイを制御するためにも制御されてよい。従って、いずれの一若しくはそれ以上のこれらのソースから、ディスプレイ１０のＬＥＤ構成要素は、所望のＬＥＤメッセージを作成し印刷メッセージを強調するため、制御されることができる。図４に示すように、ホスト制御器８０は、デジタル的に捕捉され記憶された画像、テレビジョン（ライブ若しくは録画）供給、走査された画像、インターネットからダウンロードされた画像及びデータ、及び／又はデジタルビデオディスク（ＤＶＤ）に記憶された画像及びデータに、アクセスすることができる。
【００３６】
ＬＥＤメッセージ６６、及び他のディスプレイ１０の動作パラメーターを再構築することができることに加えて、インターフェース７０は、ディスプレイ１０のオペレータ／所有者がＬＥＤメッセージ６６が日付、時間、及びメッセージの継続時間と同様に表示されていることを確認することを許容する。従って、広告主に請求書を送る目的のため、ディスプレイのオペレータ／所有者は、メッセージが表示されたことを確認することができる。例えば、インターネット接続を通して、制御器６０からの制御データは、ホストコンピュータ８０に、ディスプレイ１０を識別するデータと共に転送されてよく、日付、時間、及びメッセージの継続時間が記憶され、ホストコンピュータにおけるビデオ端末で、表示されたメッセージを再生するために抽出されることができる。従って、広告主がＬＥＤメッセージ６６が表示されたことを確認したい場合、ホストコンピュータ８０はデータを抽出し、広告主のためにそれを表示することができる。更に、接続によって、ディスプレイ１０のオペレータ／所有者がディスプレイ１０が動作していることを確認することができるようになる。ＬＥＤｓ３４−３８が動作不能になる場合、この情報が、ホストコンピュータに転送され、ディスプレイ１０は整備されることができる。
【００３７】
更に、インターネット接続によって、多分に地理的に異なる位置にある複数のディスプレイ１０のオペレータ／所有者が、広告主に、国際的に広告しない場合は複数の地域の広告を申し出することができる。ホストコンピュータから、時間は、調整されることができ、制御信号は、広告主に対して所望のＬＥＤメッセージ６６を表示するため各ディスプレイ１０に送られることができる。かかる点で、広告２６は、パネル２８上に設置されるので、広告主によって望まれるような異なる位置に移動されパネルは取り外されることができる。
【００３８】
理解できるように、ＬＥＤメッセージ６６は、クラスター３２が、間隔をおいて配置され、強い周囲光条件において、観測者によって見分けられることができるメッセージを生成するのに不適切であるため、一般的には夕方のような弱い周囲光条件において表示される。クラスター３２の間隔をおくことは、ディスプレイ１０のコストを減少させるが、その引き換え条件は、ＬＥＤメッセージ６６が強い周囲光条件において主要な媒体にならないだろうということである。
【００３９】
しかしながら、必要により強い周囲光条件において、一定のクラスター３２が印刷広告２６に色のアクセント、背景、若しくは動きを提供するために導通されてよい。かかるアクセントは、必要に合わせて断続的であってよい。
【００４０】
図５Ａを参照するに、昼光における標準のビニール面が、強い周囲光の条件、若しくは広告２６が例えば背景グラフィックを示すため照明２２によって照明される条件におけるクラスター３２が導通される白昼の強調モードが、夜間において例えば動くオウムを示す映像モードが示される。図５Ｂでは、クラスター３２の拡大された図と共に、パネル２８の部分がクラスター３２のマトリックス３０を示すため拡大されて示されている。
【００４１】
図６を参照するに、パネル２８の更に拡大された部分図が示される。認識できるように、カバー５２のレンズ４０は、開口部５６を通して貫入している。取付ボード５３は、図６において提案されるようにボルト１１０、ナット１１２、及びスペーサ１１４によって面１０４に固定されてよい。
【００４２】
図７では、本発明の更なる実施態様が示される。かかる実施態様によると、各ＬＥＤクラスター３２は、成形プラスティック若しくはその類であってよい剛体基部１１０に固定された３つのＬＥＤｓ３６、３８、及び３４を含む。ＬＥＤｓ３６、３８、及び３４は、好ましくは、基部１１０を通って入る湿気を防止するため、密閉される。基部１１０は、ＬＥＤクラスター３２に結合された駆動モジュール１００から間隔おかれた面１０４の後部を支持するフランジ１１２を含む。任意的なガスケット１１４は、フランジ１１２と面１０４との間に配設されてよく、その間の密閉を画成する。Ｏリング１１６が、面１０４を通ったＬＥＤクラスター３２の結合をさらに密にするため、各フランジ１１２と各ガスケット１１４との間に配設される。
【００４３】
各ＬＥＤクラスター３２は、切頭円柱の形態で遮蔽用フード１１８を含む。フード１１８は、好ましくは、日光のような直射光をからＬＥＤｓ３４、３６、及び３８を遮へいするため、不透明である。
【００４４】
更に好ましくは、ＬＥＤｓ３４、３６、及び３８、並びにフード１１８は、約５度下方に回転したフランジ１１２（室外サインのような大部分のアプリケーションに対して略垂直なオリエンテーションを有する）と相対する。回転は、好ましくは、ＬＥＤｓ３４、３６、及び３８が基部１１０に搭載されたときに、付与される。従って、垂直な面１０４に対して、ＬＥＤｓ３４、３６、及び３８、並びにフード１１８は、下方向に５度の回転角を有するだろう。フード１１８の使用、及びＬＥＤｓ３４、３６、及び３８の回転によって、強い周囲光の時間帯においてＬＥＤ画像の輝度が強調される。
【００４５】
ＬＥＤクラスター３２及びフランジ１１２が、冷却用の駆動モジュール１００に相対して間隔をおいた関係で面１０４を搭載するための取付面を提供することを、注意されたい。ナット及びボルト締結具１２０は、モジュール１００と面１０４との間の結合を確実にする。
【００４６】
本発明の一定の実施態様を示し説明したが、請求の範囲の精神と観点から逸脱することなく、変更が容易くされることは、理解されるべきである。
【図面の簡単な説明】
【図１Ａ】
白昼の時間帯の強調されていない本発明のディスプレイを示す図である。
【図１Ｂ】
白昼の時間帯の強調された本発明のディスプレイを示す図である。
【図１Ｃ】
夕方の時間帯の本発明のディスプレイを示す図である。
【図２】
図１Ａ−Ｃのディスプレイに対するパネル構成を示す図である。
【図３】
ディスプレイに対する電力及び制御をも図示するディスプレイに対するパネルの側面組み立て図である。
【図４】
本発明によるディスプレイの動作及び制御を示す図である。
【図５Ａ】
動作中の本発明によるディスプレイの拡大された前面及び側面図である。
【図５Ｂ】
ＬＥＤクラスターとディスプレイの対するパネルの拡大された前面及び側面図である。
【図６】
ディスプレイの拡大された部分図である。
【図７】
本発明の更なる実施態様を示す図である。
【図１Ａ】
2004538495.tif 000003
【図１Ｂ】
2004538495.tif 000004
【図１Ｃ】
2004538495.tif 000005
【図２】
2004538495.tif 000006
【図３】
2004538495.tif 000007
【図４】
2004538495.tif 000008
【図５Ａ】
2004538495.tif 000009
【図５Ｂ】
2004538495.tif 000010
【図６】
2004538495.tif 000011
【図７】
2004538495.tif 000012
【国際公開パンフレット】
2004538495.tif 000013
2004538495.tif 000014
2004538495.tif 000015
2004538495.tif 000016
2004538495.tif 000017
2004538495.tif 000018
2004538495.tif 000019
2004538495.tif 000020
2004538495.tif 000021
2004538495.tif 000022
2004538495.tif 000023
2004538495.tif 000024
2004538495.tif 000025
2004538495.tif 000026
2004538495.tif 000027
2004538495.tif 000028
2004538495.tif 000029
2004538495.tif 000030
2004538495.tif 000031
2004538495.tif 000032
2004538495.tif 000033
2004538495.tif 000034
2004538495.tif 000035
2004538495.tif 000036
2004538495.tif 000037
2004538495.tif 000038
2004538495.tif 000039
2004538495.tif 000040
【国際公開パンフレット（コレクトバージョン）】
2004538495.tif 000041
【国際調査報告】
2004538495.tif 000042